【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
本体胴部の上方に握り部を形成する手摺本体と、
上記本体胴部の裏面に、該本体胴部の長手方向に沿って適宜間隔をおいて取り付けられるブラケットと、を具備し、
上記本体胴部の長手方向の一端にシャワー等の接続部を形成し、上記本体胴部の中間部裏面に水栓連結部を形成し、上記水栓連結部と上記シャワー等の接続部とを接続する配管を、上記本体胴部に収容してなる、
ことを特徴とする浴室手摺。
【請求項２】
請求項１に記載の浴室手摺において、
上記本体胴部は、中空筒状部を有し、上記中空筒状部内に上記配管が挿入されている、ことを特徴とする浴室手摺。
【請求項３】
請求項１又は２に記載の浴室手摺において、
上記配管は、上記本体胴部の内壁に嵌合されるホルダー部材によって固定されている、ことを特徴とする浴室手摺。
【請求項４】
請求項３に記載の浴室手摺において、
上記ホルダー部材は、上記配管を抱持する断面略U字状の保持部と、該保持部の開口側両端から外方に延在する一対のフランジ部と、を有し、上記フランジ部を、上記本体胴部の内壁に形成された狭隘開口溝に嵌合可能に形成してなる、ことを特徴とする浴室手摺。
【請求項５】
請求項１ないし４のいずれかに記載の浴室手摺において、
上記水栓連結部は、連結用ブラケット内に収容されている、ことを特徴とする浴室手摺。
【請求項６】
請求項５に記載の浴室手摺において、
上記連結用ブラケットは、上記水栓連結部に接続される上記配管の端部が挿通可能な挿通孔を有する止水用パッキンを介して上記本体胴部に固定される手摺側ブラケット半体と、浴室の壁面に固定される壁側ブラケット半体とからなり、上記手摺側ブラケット半体に設けられた係止垂下片を、上記壁側ブラケット半体の上端部に設けられた係止段部に係合可能に形成してなる、ことを特徴とする浴室手摺。
【請求項７】
請求項１ないし６のいずれかに記載の浴室手摺において、
上記手摺本体の長手方向の端部にエンドキャップが被着され、上記エンドキャップに、上記シャワー等の接続部が形成されている、ことを特徴とする浴室手摺。
【請求項８】
請求項１ないし７のいずれかに記載の浴室手摺において、
上記ブラケットは、一端が上記本体胴部に固定される手摺側ブラケット半体と、浴室の壁面に固定される略L字状の壁側ブラケット半体とからなり、上記手摺側ブラケット半体の他端に設けられた係止垂下片を、上記壁側ブラケット半体の垂直部の上端部に設けられた係止段部に係合可能に形成すると共に、上記壁側ブラケット半体の水平部と上記手摺側ブラケット半体の一端側下部とをねじ部材によって固定可能に形成してなる、ことを特徴とする浴室手摺。
【請求項９】
請求項１ないし８のいずれかに記載の浴室手摺において、
上記手摺本体を金属製部材にて形成し、上記手摺本体の前面部、握り部及び裏面部に合成樹脂製のカバー材を嵌合被着してなる、ことを特徴とする浴室手摺。
【請求項１０】
請求項９に記載の浴室手摺において、
上記カバー材の長手方向の端部に合成樹脂製のエンドキャップが被着され、上記エンドキャップに、上記シャワー等の接続部が形成されている、ことを特徴とする浴室手摺。
【請求項１１】
請求項１ないし１０のいずれかに記載の浴室手摺において、
上記本体胴部の下部に添設される照明ユニットを更に具備し、
上記照明ユニットは、プリント基板に所定のピッチで発光素子を実装してなる光源と、該光源を保持する透光性を有するケースとからなり、
上記ケースは、上記本体胴部の下部に設けられた下方が開口する取付凹溝に嵌合可能に形成され、
上記照明ユニットの給電ケーブルと上記水栓連結部は、連結用ブラケット内に収容されている、
ことを特徴とする浴室手摺。
【請求項１２】
請求項５ないし１１のいずれかに記載の浴室手摺において、
上記連結用ブラケットは、上記給電ケーブルが挿通可能な挿通孔と、上記水栓連結部に接続される上記配管の端部が挿通可能な挿通孔を有する止水用パッキンを介して上記本体胴部に固定される手摺側ブラケット半体と、浴室の壁面に固定される壁側ブラケット半体とからなり、上記手摺側ブラケット半体に設けられた係止垂下片を、上記壁側ブラケット半体の上端部に設けられた係止段部に係合可能に形成してなる、ことを特徴とする浴室手摺。
【請求項１３】
請求項１ないし１２のいずれかに記載の浴室手摺において、
上記手摺本体の裏面に、長手方向に沿う段部を形成し、
上記ブラケットの両側面に、水平段部を形成し、
上記手摺本体の上記段部と、隣接する上記ブラケットの対向する上記水平段部に棚を載置可能に形成してなる、ことを特徴とする浴室手摺。
【手続補正２】
【補正対象書類名】明細書
【補正対象項目名】００２６
【補正方法】変更
【補正の内容】
【００２６】
（３）請求項５に記載の発明によれば、上記（１），（２）に加えて、更に連結用ブラケットによって水栓連結部をカバーすることができるので、水栓連結部は外部に露出することがない。したがって、使用者が手摺使用時に誤って水栓連結部に触れるのを防止することができる。
この場合、連結用ブラケットを構成する本体胴部に固定される手摺側ブラケット半体に設けられた係止垂下片を、連結用ブラケットを構成する浴室の壁面に固定された壁側ブラケット半体の上端部に設けられた係止段部に係合して取り付けるので、連結用ブラケットの取付を容易にすることができると共に、確実にすることができる（請求項６）。
【手続補正３】
【補正対象書類名】明細書
【補正対象項目名】００２７
【補正方法】変更
【補正の内容】
【００２７】
（４）請求項７に記載の発明によれば、上記（１）〜（３）に加えて、更に手摺本体の長手方向の端部を、シャワー等の接続部を形成したエンドキャップによって被覆することで、手摺本体の長手方向の端面及び内部を外部から目隠しすることができると共に、手摺内部への水の浸入を防止することができる。
【手続補正４】
【補正対象書類名】明細書
【補正対象項目名】００２８
【補正方法】変更
【補正の内容】
【００２８】
（５）請求項８に記載の発明によれば、上記（１）〜（４）に加えて、更に本体胴部に固定される手摺側ブラケット半体に設けられた係止垂下片を、浴室の壁面に固定される壁側ブラケット半体に設けられた係止段部に係合させた状態で、壁側ブラケット半体の水平部と手摺側ブラケット半体の一端側下部とをねじ部材によって固定することができる。したがって、手摺本体の取付を容易にすることができると共に、確実に固定することができる。
【手続補正５】
【補正対象書類名】明細書
【補正対象項目名】００２９
【補正方法】変更
【補正の内容】
【００２９】
（６）請求項９に記載の発明によれば、上記（１）〜（５）に加えて、更に手摺本体に強度を持たせることができると共に、外観や触感を高めることができる。
この場合、手摺本体及びカバー材の長手方向の端部を、シャワー等の接続部を形成したエンドキャップによって被覆することで、手摺本体及びカバー材の長手方向の端面と手摺本体の内部を外部から目隠しすることができる。また、カバー材の熱膨張によってエンドキャップが脱落するのを防止することができる（請求項１０）。
【手続補正６】
【補正対象書類名】明細書
【補正対象項目名】００３０
【補正方法】変更
【補正の内容】
【００３０】
（７）請求項１１に記載の発明によれば、上記（１）〜（６）に加えて、更に連結用ブラケットによって水栓連結部と照明ユニットの給電ケーブルをカバーすることができるので、水栓連結部と照明ユニットの給電ケーブルは外部に露出することがない。したがって、使用者が手摺使用時に誤って水栓連結部と照明ユニットの給電ケーブルに触れるのを防止することができる。
この場合、連結用ブラケットを構成する本体胴部に固定される手摺側ブラケット半体に設けられた係止垂下片を、連結用ブラケットを構成する浴室の壁面に固定された壁側ブラケット半体の上端部に設けられた係止段部に係合して取り付けるので、連結用ブラケットの取付を容易にすることができると共に、確実にすることができる（請求項１２）。
【手続補正７】
【補正対象書類名】明細書
【補正対象項目名】００３１
【補正方法】変更
【補正の内容】
【００３１】
（８）請求項１３に記載の発明によれば、上記（１）〜（７）に加えて、更に手摺本体の裏面に形成された段部と、隣接するブラケットに形成された水平段部の三辺に棚を載置することができるので、棚を安定した状態で載置することができると共に、手摺本体の裏面側とブラケット間のスペースの有効利用が図れる。